(57)【要約】【課題】  思春期のユーザが自分にフィットする下着商品を容易に検索できる商品検索端末及び商品検索サーバを提供する。【解決手段】  商品検索端末１では、ショーツに関する商品情報がステップ１・２用規格及びステップ３用規格に区分して格納され、各規格は、初経の経験有無を基準として予め定義された３つの体型区分に対応して、それぞれ異なる原型パターン５０Ａ，５０Ｂを有している。これにより、思春期のユーザの体型が広範囲にカバーされる。そして、商品検索端末１では、指標情報に基づいてユーザの現体型区分が判定され、この現体型区分に対応する商品規格の中からユーザの身体的特徴に基づく一の商品情報が選択される。そのため、ユーザは指標情報を入力するだけの簡単な操作で自分の現体型区分を把握でき、その現体型区分に対応する商品規格の中から自分にフィットする一の商品情報を容易に取得できる。【選択図】  図１
2007018345.tif 000002
【特許請求の範囲】
【請求項１】
各種サイズが用意された女性用下着商品の販売に用いられ、前記各種サイズの中からユーザにフィットする一の女性用下着商品を検索するための商品検索端末であって、
前記女性用下着商品の各種サイズごとの商品情報を格納する商品情報格納手段と、
前記ユーザの体型的な指標情報として、当該ユーザの初経の経験有無及び体型的特徴についての情報の入力を受け付ける指標情報受付手段と、
前記指標情報受付手段に入力された前記指標情報に基づいて、初経の経験有無を基準として予め定義された複数の体型区分のうち、前記ユーザが現在属する現体型区分を判定する体型区分判定手段と、
前記体型区分判定手段が決定した前記現体型区分に基づいて、前記商品情報格納手段に格納される前記各商品情報のうちから一の商品情報を選択する商品情報選択手段とを備え、
前記商品情報格納手段には、
前記複数の体型区分に対応するように、原型パターンがそれぞれ異なる複数の商品パターン群に区分して前記各商品情報が格納され、
前記商品情報選択手段は、
前記現体型区分に基づいて、前記複数の商品パターン群のうちから一の商品パターン群を選択すると共に、当該選択した商品パターン群に属する前記女性用下着商品の前記各商品情報のうちから、前記ユーザの体型的特徴に基づいて一の商品情報を選択することを特徴とする商品検索端末。
【請求項２】
前記ユーザを特定するためのユーザ特定情報の入力を受け付けるユーザ特定情報受付手段と、
前記商品情報選択手段によって選択された前記女性用下着商品の発注を要求するための発注要求情報を生成する発注要求情報生成手段と、
前記発注要求情報を前記ユーザ特定情報に関連付けて所定の送信先に送信する発注要求情報送信手段とを更に備えることを特徴とする請求項１記載の商品検索端末。
【請求項３】
前記女性用下着商品はショーツであり、
前記商品情報格納手段には、初経から所定の期間を経過するまでの急成長期の体型区分に対応させた第１の商品パターン群と、初経から所定の期間を経過した後の成長安定期の体型区分に対応させた第２の商品パターン群とが設定されており、
前記第２の商品パターン群に属するショーツの原型パターンは、前記第１の商品パターン群に属するショーツの原型パターンに比べて、ウエストとヒップの比、太腿の被り量、及び前部のウエスト丈が大きくなっていることを特徴とする請求項１又は２記載の商品検索端末。
【請求項４】
各種サイズが用意された女性用下着商品の販売に用いられ、前記各種サイズの中からユーザにフィットする一の女性用下着商品を検索するための商品検索サーバであって、
前記女性用下着商品の各種サイズごとの商品情報を格納する商品情報格納手段と、
入力端末に入力される、前記ユーザの体型的な指標情報としての当該ユーザの初経の経験有無及び体型的特徴についての情報を、ネットワークを介して受信する指標情報受信手段と、
前記指標情報受信手段が受信した前記指標情報に基づいて、初経の経験有無を基準として予め定義された複数の体型区分のうち、前記ユーザが現在属する現体型区分を判定する体型区分判定手段と、
前記体型区分判定手段が決定した前記現体型区分に基づいて、前記商品情報格納手段に格納される前記各商品情報のうちから一の商品情報を選択する商品情報選択手段と、
前記商品情報選択手段によって選択された前記一の商品情報を、前記ネットワークを介して前記入力端末に送信する商品情報送信手段とを備え、
前記商品情報格納手段には、
前記複数の体型区分に対応するように、原型パターンがそれぞれ異なる複数の商品パターン群に区分して前記各商品情報が格納され、
前記商品情報選択手段は、
前記現体型区分に基づいて、前記複数の商品パターン群のうちから一の商品パターン群を選択すると共に、当該選択した商品パターン群に属する前記女性用下着商品の前記各商品情報のうちから、前記ユーザの体型的特徴に基づいて一の商品情報を選択することを特徴とする商品検索サーバ。
【請求項５】
前記ユーザを特定するためのユーザ特定情報の入力を受け付けるユーザ特定情報受付手段と、
前記商品情報選択手段によって選択された前記女性用下着商品の発注を要求するための発注要求情報を生成する発注要求情報生成手段と、
前記発注要求情報を前記ユーザ特定情報に関連付けて所定の送信先に送信する発注要求情報送信手段とを更に備えることを特徴とする請求項４記載の商品検索サーバ。
【請求項６】
前記女性用下着商品はショーツであり、
前記商品情報格納手段には、初経から所定の期間を経過するまでの急成長期の体型区分に対応させた第１の商品パターン群と、初経から所定の期間を経過した後の成長安定期の体型区分に対応させた第２の商品パターン群とが設定されており、
前記第２の商品パターン群に属するショーツの原型パターンは、前記第１の商品パターン群に属するショーツの原型パターンに比べて、ウエストとヒップの比、太腿の被り量、及び前部のウエスト丈が大きくなっていることを特徴とする請求項４又は５記載の商品検索サーバ。
【発明の詳細な説明】
【技術分野】
【０００１】
本発明は、各種サイズの中からユーザにフィットする一の女性用下着商品を検索するための商品検索端末及び商品検索サーバに関する。
【背景技術】
【０００２】
思春期を迎えた女性の体型は、体全体が丸みを帯びてきたり、バストの成長が始まったりするなど、著しく変化する。また、思春期には、体型の変化に伴って、女性が自分の体型に対して感じる意識（ボディ意識）も大きく変化する。すなわち、小学校高学年（〜１２歳）位までの女性は身長のみを意識する傾向があるが、中学生以上（１２歳〜）に成長した女性は、バストや脚の形状や肥満度など、自分の体型を強く意識するようになる。そのため、思春期の女性においては、自分の体型にしっかりとフィットする下着商品へのニーズが強く存在している。
【０００３】
このようなニーズに対し、現状では、思春期の女性向けの下着商品として、ＪＩＳ規格に沿った各種サイズが用意されている。このＪＩＳ規格では、満１６歳以上の女性を成人女性と定義しており、この成人女性に対しては、バスト周径やヒップ周径などに基づいてＳ・Ｍ・Ｌといった各種サイズが定められている。また、満１６歳に満たない女性に対しては、身長を基準とした少女用の各種サイズが定められている。なお、この背景技術は文献公知発明に係るものではないので、記載すべき先行技術文献はない。
【発明の開示】
【発明が解決しようとする課題】
【０００４】
ところで、思春期を迎えた女性の体型の変化は著しいものであるが、その変化には非常に大きな個人差が見られる。また、近年では、体型に変化が現れ始める年齢が徐々に低年齢化してきており、１４歳位までにはほぼ１００％の女性でバストの成長が始まっているという事情も存在している。
【０００５】
ここで、思春期の女性の体型と下着商品（ここではショーツ）の既存サイズとの関係を示したグラフを図１１に示す。この図１１に示すように、成人女性用の各サイズだけでは、サンプルの体型の出現分布に対して約６０％がカバーされておらず、少女用の各サイズだけでは約４４％がカバーされていない。したがって、現状では、思春期の女性が既存のサイズ基準に合わせて下着商品を購入しても、思春期の女性の体型と下着商品の既存サイズとのずれのために、購入した下着商品が必ずしも自分の体型にフィットしないという問題が生じている。
【０００６】
このような問題を解決するために、下着商品に新しい規格を導入することが有効である。しかしながら、思春期の女性の体型に対するカバー率を向上させるために単にサイズの規格を複雑化すると、自分にフィットする下着商品を見つけるのが困難となるおそれがある。
【０００７】
本発明は上記課題の解決のためになされたものであり、思春期のユーザが自分にフィットする下着商品を容易に検索できる商品検索端末及び商品検索サーバを提供することを目的とする。
【課題を解決するための手段】
【０００８】
上記課題の解決のため、本願発明者は、鋭意研究を重ねていく過程で、思春期を迎えた女性が初経を経験することに着目した。そして、本願発明者は、初経の経験の有無と体型変化との間に関連性が存在するか否かを調べるため、同一人物についての４歳〜１８歳までの身体計測のデータを約２７００例にわたって取得し、その分析を行った。
【０００９】
図１２及び図１３は、その分析結果を示すグラフである。図１２（ａ）及び図１２（ｂ）は、初経を経験したときからの年数に対して、サンプルのヒップ周径及びウエスト周径の平均値をそれぞれプロットしたものである。また、図１３（ａ）及び図１３（ｂ）は、初経を経験したときからの年数に対して、サンプルのトップバスト／アンダーバストの周径比及びバスト／ウエストの厚さ比の平均値をそれぞれプロットしたものである。これらの分析結果から、思春期の女性の体型は、初経の前後で特に著しく変化し、初経の経験後１年を経過すると緩やかに変化する、という傾向があることが判明した。
【００１０】
そこで、本願発明者は、初経の経験の有無を基準として思春期の女性の体型を再定義し、この定義に基づいて規格された下着商品の中から一の下着商品を選択するようにすれば、思春期のユーザが自分にフィットする下着商品を容易に検索できるとの知見を得て、本発明を完成するに至った。
【００１１】
本発明に係る商品検索端末は、各種サイズが用意された女性用下着商品の販売に用いられ、各種サイズの中からユーザにフィットする一の女性用下着商品を検索するための商品検索端末であって、女性用下着商品の各種サイズごとの商品情報を格納する商品情報格納手段と、ユーザの体型的な指標情報として、当該ユーザの体型的特徴及び初経の経験有無についての情報の入力を受け付ける指標情報受付手段と、指標情報受付手段に入力された指標情報に基づいて、初経の経験有無を基準として予め定義された複数の体型区分のうち、ユーザが現在属する現体型区分を判定する体型区分判定手段と、体型区分判定手段が決定した現体型区分に基づいて、商品情報格納手段に格納される各商品情報のうちから一の商品情報を選択する商品情報選択手段とを備え、商品情報格納手段には、複数の体型区分に対応するように、原型パターンがそれぞれ異なる複数の商品パターン群に区分して各商品情報が格納され、商品情報選択手段は、現体型区分に基づいて、複数の商品パターン群のうちから一の商品パターン群を選択すると共に、当該選択した商品パターン群に属する女性用下着商品の商品情報のうちから、ユーザの体型的特徴に基づいて一の商品情報を選択することを特徴としている。
【００１２】
この商品検索端末では、女性用下着商品の商品情報が複数の商品パターン群に区分して格納されており、各商品パターン群は、初経の経験有無を基準として予め定義された複数の体型区分に対応して、それぞれ異なる原型パターンとなっている。このように、初経の経験有無に基づいて原型パターンが設定されることにより、思春期のユーザの体型がより広範囲にカバーされる。そして、この商品検索端末では、ユーザが入力した初経の経験有無及び身体的特徴に関する指標情報に基づいて当該ユーザの現体型区分が判定され、この現体型区分に対応する商品パターン群の中からユーザの身体的特徴に基づく一の商品情報が選択される。そのため、女性用下着商品を購入しようとするユーザは、指標情報を入力するだけの簡単な操作で自分の現在の体型区分を把握できると共に、その体型区分に対応する商品パターン群の中から自分に最もフィットする一の商品情報を容易に取得できる。
【００１３】
また、商品検索端末は、ユーザを特定するためのユーザ特定情報の入力を受け付けるユーザ特定情報受付手段と、商品情報選択手段によって選択された女性用下着商品の発注を要求するための発注要求情報を生成する発注要求情報生成手段と、発注要求情報をユーザ特定情報に関連付けて所定の送信先に送信する発注要求情報送信手段とを更に備えることが好ましい。このような構成により、ユーザが検索して取得した商品情報が示す女性用下着商品をその場で発注できるので、女性用下着商品の販売促進を実現できる。
【００１４】
また、女性用下着商品はショーツであり、商品情報格納手段には、初経から所定の期間を経過するまでの急成長期の体型区分に対応させた第１の商品パターン群と、初経から所定の期間を経過した後の成長安定期の体型区分に対応させた第２の商品パターン群とが設定されており、第２の商品パターン群に属するショーツの原型パターンは、第１の商品パターン群に属するショーツの原型パターンに比べて、ウエストとヒップの比、太腿の被り量、及び前部のウエスト丈が大きくなっていることが好ましい。このような原型パターンを設定することにより、ショーツを思春期のユーザの体型によりフィットさせることが可能となる。
【００１５】
また、本発明に係る商品検索サーバは、各種サイズが用意された女性用下着商品の販売に用いられ、各種サイズの中からユーザにフィットする一の女性用下着商品を検索するための商品検索サーバであって、女性用下着商品の各種サイズごとの商品情報を格納する商品情報格納手段と、入力端末に入力される、ユーザの体型的な指標情報としての当該ユーザの初経の経験有無及び体型的特徴についての情報を、ネットワークを介して受信する指標情報受信手段と、指標情報受信手段が受信した指標情報に基づいて、初経の経験有無を基準として予め定義された複数の体型区分のうち、ユーザが現在属する現体型区分を判定する体型区分判定手段と、体型区分判定手段が決定した現体型区分に基づいて、商品情報格納手段に格納される各商品情報のうちから一の商品情報を選択する商品情報選択手段と、商品情報選択手段によって選択された一の商品情報を、ネットワークを介して入力端末に送信する商品情報送信手段とを備え、商品情報格納手段には、複数の体型区分に対応するように、原型パターンがそれぞれ異なる複数の商品パターン群に区分して各商品情報が格納され、商品情報選択手段は、現体型区分に基づいて、複数の商品パターン群のうちから一の商品パターン群を選択すると共に、当該選択した商品パターン群に属する女性用下着商品の各商品情報のうちから、ユーザの体型的特徴に基づいて一の商品情報を選択することを特徴としている。
【００１６】
この商品検索サーバでは、女性用下着商品の商品情報が複数の商品パターン群に区分して格納されており、各商品パターン群は、初経の経験有無を基準として予め定義された複数の体型区分に対応して、それぞれ異なる原型パターンとなっている。このように、初経の経験有無に基づいて原型パターンが設定されることにより、思春期のユーザの体型がより広範囲にカバーされている。そして、この商品検索サーバでは、ユーザが入力した初経の経験有無及び身体的特徴に関する指標情報に基づいて当該ユーザの現体型区分が判定され、この現体型区分に対応する商品パターン群の中からユーザの身体的特徴に基づく一の商品情報が選択される。そのため、女性用下着商品を購入しようとするユーザは、指標情報を入力するだけの簡単な操作で自分の現在の体型区分を把握できると共に、その体型区分に対応する商品パターン群の中から自分に最もフィットする一の商品情報を容易に取得できる。
【００１７】
また、商品検索サーバは、ユーザを特定するためのユーザ特定情報の入力を受け付けるユーザ特定情報受付手段と、商品情報選択手段によって選択された女性用下着商品の発注を要求するための発注要求情報を生成する発注要求情報生成手段と、発注要求情報をユーザ特定情報に関連付けて所定の送信先に送信する発注要求情報送信手段とを更に備えることが好ましい。このような構成により、ユーザが検索して取得した商品情報が示す女性用下着商品をその場で発注できるので、女性用下着商品の販売促進を実現できる。
【００１８】
また、女性用下着商品はショーツであり、商品情報格納手段には、初経から所定の期間を経過するまでの急成長期の体型区分に対応させた第１の商品パターン群と、初経から所定の期間を経過した後の成長安定期の体型区分に対応させた第２の商品パターン群とが設定されており、第２の商品パターン群に属するショーツの原型パターンは、第１の商品パターン群に属するショーツの原型パターンに比べて、ウエストとヒップの比、太腿の被り量、及び前部のウエスト丈が大きくなっていることが好ましい。このような原型パターンを設定することにより、ショーツを思春期のユーザの体型によりフィットさせることが可能となる。
【発明の効果】
【００１９】
以上説明したように、本発明に係る商品検索端末及び商品検索サーバによれば、思春期のユーザが自分にフィットする下着商品を容易に検索できる。
【発明を実施するための最良の形態】
【００２０】
以下、図面を参照しながら、本発明に係る商品検索端末及び商品検索サーバの好適な実施形態について詳細に説明する。
【００２１】
［第１実施形態］
図１は、本発明に係る商品検索端末の好適な一実施形態を示す構成図である。図１に示す商品検索端末１は、女性用下着商品であるショーツを扱う販売店の店内に設置され、各種サイズが用意されたショーツの中から購入者であるユーザにフィットするショーツの商品検索を行うための端末として構成されている。この商品検索端末１は、物理的には、ＣＰＵ、メモリ、通信インタフェイス、ハードディスクといった格納部、ディスプレイといった表示部等を備えたコンピュータシステムであり、販売店の専用回線２を介して受注管理サーバ３と相互に情報送受信可能に接続されている。
【００２２】
また、商品検索端末１は、機能的な構成要素として、指標情報受付部１０１と、体型区分判定部１０２と、商品情報格納部１０３と、商品情報選択部１０４と、表示部１０５と、ユーザ特定情報受付部１０６と、発注要求情報生成部１０７と、発注要求情報送信部１０８とを備えている。以下、各構成要素について説明する。
【００２３】
指標情報受付部１０１は、ユーザの体型的な指標情報として、当該ユーザの初経の経験有無及び体型的特徴についての情報の入力を受け付ける部分である。ここでいう体型的特徴には、例えば満年齢、初経後の経過年数、ウエスト周径、ヒップ周径、トップバストのサイズ、アンダーバストのサイズ等が含まれる。指標情報受付部１０１は、入力された指標情報を体型区分判定部１０２に出力する。
【００２４】
体型区分判定部１０２は、指標情報受付部１０１に入力された指標情報に基づいて、初経の経験有無を基準として予め定義された複数の体型区分のうち、女性ユーザが現在属する現体型区分を判定する部分である。体型区分判定部１０２は、この判定結果を示す判定結果情報を指標情報と共に商品情報選択部１０４に出力する。なお、現体型区分を判定する処理については後述する。
【００２５】
ここで、本実施形態では、初経の経験有無という観点から思春期を迎えた女性の成長段階を再定義し、この成長段階に応じてステップ１からステップ３までの３つの体型区分を設定している。この３つの体型区分のうち、最も初期の成長段階であるステップ１に属する女性の上半身は、図２（ａ）に示すように、乳頭及び乳輪の隆起が見られるが、バージスラインＡは不明瞭であるという特徴を有している。また、下半身は、図２（ｂ）に示すように、骨盤が前傾傾向にあると共にウエストのくびれが小さく、また、成長率が著しく高いという特徴を有している。
【００２６】
次の成長段階であるステップ２に属する女性の上半身は、図２（ａ）に示すように、バージスラインＡが明瞭となっているが、バージス形状は下カップ点Ｂを中心にやや扁平な円状（弓なり）であるという特徴を有している。また、下カップＣの丈は比較的短く、直線的である。一方、下半身は、図２（ｂ）に示すように、骨盤が前傾傾向から直立傾向に向かう変換期にあるが、ステップ１と同様にウエストのくびれは小さく、成長率も著しく高いという特徴を有している。
【００２７】
最終の成長段階であるステップ３に属する女性の上半身は、図４（ａ）に示すように、バージスラインＡが胸部の中心から脇部までにかけて明瞭であり、下カップＣの形状は、ステップ２と比べてより丸みがあるという特徴を有している。また、下半身は、図４（ｂ）に示すように、骨盤が直立傾向であると共に、ウエストのくびれやヒップのボリュームがステップ１及びステップ２と比べてはっきりしたものとなっている。そして、ステップ３では下半身の成長が安定し、ステップ１及びステップ２に比べて成長率が低くなる。
【００２８】
商品情報格納部１０３は、販売品であるショーツの各種サイズごとの商品情報を格納する部分である。この商品情報格納部１０３には、急成長期であるステップ１・２用の商品規格（第１の商品パターン群）、及び成長安定期であるステップ３用の商品規格（第２の商品パターン群）に区分して、ショーツの各種サイズを示す商品情報がそれぞれ格納されている。
【００２９】
この商品情報格納部１０３に格納されている情報の一例を図５に示す。図５に示す例では、ステップ１及びステップ２用のショーツとして、小さい方から順に、「Ｊ３Ｓサイズ：ウエストサイズ５６ｃｍ〜６４ｃｍ、ヒップサイズ７２ｃｍ〜８０ｃｍ」、「Ｊ２Ｓサイズ：ウエストサイズ６１ｃｍ〜６９ｃｍ、ヒップサイズ７７ｃｍ〜８５ｃｍ」、「ＪＳサイズ：ウエストサイズ６６ｃｍ〜７４ｃｍ、ヒップサイズ８２ｃｍ〜９０ｃｍ」、「ＪＭサイズ：ウエストサイズ７１ｃｍ〜７９ｃｍ、ヒップサイズ８７ｃｍ〜９５ｃｍ」、「ＪＬサイズ：ウエストサイズ７６ｃｍ〜８４ｃｍ、ヒップサイズ９２ｃｍ〜１００ｃｍ」の５つのサイズについての商品情報が格納されている。また、ステップ３用のショーツとして、小さい方から順に、「Ｊ２Ｓサイズ：ウエストサイズ５７ｃｍ〜６４ｃｍ、ヒップサイズ７７ｃｍ〜８５ｃｍ」、「ＪＳサイズ：ウエストサイズ６１ｃｍ〜６８ｃｍ、ヒップサイズ８２ｃｍ〜９０ｃｍ」、「ＪＭサイズ：ウエストサイズ６５ｃｍ〜７２ｃｍ、ヒップサイズ８７ｃｍ〜９５ｃｍ」、「ＪＬサイズ：ウエストサイズ６９ｃｍ〜７６ｃｍ、ヒップサイズ９２ｃｍ〜１００ｃｍ」の４つのサイズについての商品情報が格納されている。
【００３０】
このように、商品規格をステップ１・２用とステップ３用とで分けたのは、図１２及び図１３に示したように、思春期の女性の体型変化の傾向が初経からの経過後１年を境にして急成長期から成長安定期に変化することを考慮したものである。ここで、初経からの経過年数に対する各ステップの構成比の調査結果を図６に示す。この図６に示すように、初経経験前１年では、約８０％がステップ１及びステップ２に属している。また、初経の経験時では、ステップ２とステップ３との構成比がほぼ等しく、初経経験後１年では、８０％以上がステップ３に属している。したがって、ステップ１・２用の商品規格は急成長期に対応し、ステップ３用の商品規格は成長安定期に対応するので、思春期の女性の体型が広範囲にカバーされる。
【００３１】
また、ステップ１・２用の商品規格に属するショーツと、ステップ３用の商品規格に属するショーツとでは、上述した各ステップにおける体型的な特徴及び成長率等を考慮して、それぞれ原型パターンが異なっている。すなわち、図７に示すように、ステップ３用のショーツの原型パターン５０Ｂは、ステップ１・２用のショーツの原型パターン５０Ａに比べて、ウエストとヒップの比Ｄ、太腿の被り量Ｅ、及び前部のウエスト丈Ｆが大きくなっている。これは、上述のように、ステップ１・２の下半身の体型がステップ３の体型に比べて、ウエストのくびれが小さい、ヒップボリュームが小さい、骨盤が前傾傾向にある、という特徴をそれぞれ反映させたものである。このような原型パターン５０Ａ，５０Ｂの設定は、思春期のユーザの体型によりフィットしたショーツの提供を実現する。
【００３２】
商品情報選択部１０４は、体型区分判定部１０２によって決定されたユーザの現体型区分に基づいて、商品情報格納部１０３に格納される各商品情報のうちから一の商品情報を選択する部分である。より具体的には、商品情報選択部１０４は、体型区分判定部１０２から判定結果情報及び指標情報を受け取ると、これらの情報に基づいて商品情報格納部１０３を参照する。このとき、商品情報選択部１０４は、判定結果情報が示す現体型区分がステップ１又はステップ２であった場合にはステップ１・２用の商品規格を選択し、ステップ３であった場合にはステップ３用の商品規格を選択する。そして、商品情報選択部１０４は、選択した商品規格に属するショーツの各商品情報のうちから、指標情報に含まれるユーザの体型的特徴に最もフィットする一の商品情報を選択し、その商品情報を表示部１０５及び発注要求情報生成部１０７に出力する。これにより、表示部１０５には、商品情報が示すショーツのサイズ、商品画像、価格などが表示される。
【００３３】
ユーザ特定情報受付部１０６は、表示部１０５に表示されたショーツの購入を希望するユーザを特定するためのユーザ特定情報の入力を受け付ける部分である。このユーザ特定情報としては、例えばショーツの販売事業者がユーザごとに付与するユーザＩＤが用いられる。ユーザ特定情報受付部１０６は、入力されたユーザ特定情報を発注要求情報生成部１０７に出力する。
【００３４】
発注要求情報生成部１０７は、商品情報選択部１０４によって選択されたショーツの発注を要求するための発注要求情報を生成する部分である。この発注要求情報生成部１０７は、ユーザ特定情報受付部１０６から受け取ると発注要求情報を生成し、この発注要求情報をユーザ特定情報及び商品情報と関連付けて発注要求情報送信部１０８に出力する。発注要求情報送信部１０８は、専用回線２を介して、発注要求情報生成部１０７から受け取った各情報を受注管理サーバ３に送信する。そして、送信された発注要求情報は、受注管理サーバ３によってユーザごとに管理される。
【００３５】
続いて、このような構成を有する商品検索端末１の動作について図８に示すフローチャートを参照しながら説明する。
【００３６】
図８に示すように、ユーザが商品検索端末１にアクセスすると、まずユーザの体型的な指標情報として、初経の経験有無及び体型的特徴についての情報の入力を受け付ける（ステップＳ０１）。入力された情報は、指標情報受付部１０１から体型区分判定部１０２に出力され、この指標情報に基づいてユーザの現体型区分を判定する処理が開始される（ステップＳ０２）。
【００３７】
ここで、体型区分の判定処理における判定フローの一例を図９に示す。図９に示すように、この判定フローでは、初めに指標情報に含まれる情報のうち、初経の経験有無について判断する（ステップＳ１１）。このとき、初経の経験が有る場合は、初経後の経過年数について判断し（ステップＳ１２）、経過年数が０．９２年より長い場合はユーザの体型区分がステップ３であると判定する。
【００３８】
経過年数が０．９２年以下である場合は、トップバスト周径とアンダーバスト周径との差を判断する（ステップＳ１３）。この差が９ｃｍより大きい場合は、ユーザの体型区分がステップ３であると判定する。また、差が９ｃｍ以下である場合は、さらにヒップ周径について判断する（ステップＳ１４）。そして、ヒップ周径が８３ｃｍより大きい場合は、ユーザの体型区分がステップ３であると判定し、ヒップ周径が８３ｃｍ以下である場合は、ユーザの体型区分がステップ２であると判定する。
【００３９】
一方、ステップＳ１１において、初経の経験が無い場合は、トップバスト周径とアンダーバスト周径との差を判断する（ステップＳ１５）。このとき、差が６ｃｍより大きい場合は、直ちにユーザの体型区分がステップ２であると判定する。
【００４０】
また、ステップＳ１５において、トップバスト周径とアンダーバスト周径との差が４ｃｍより大きく、かつ６ｃｍ以下である場合は、下カップ間隔（乳頭部とバスト基底部の最下点との間の間隔）について判断する（ステップＳ１６）。この下カップ間隔が３ｃｍより大きい場合は、ユーザの体型区分がステップ２であると判定する。また、下カップ間隔が３ｃｍ以下である場合は、さらに、ウエスト周径とヒップ周径の比（腰のくびれ具合）について判断する（ステップＳ１７）。そして、比が０．７８以下である場合は、ユーザの体型区分がステップ２であると判断し、比が０．７８よりも大きい場合は、ユーザの体型区分がステップ１であると判定する。
【００４１】
さらに、ステップＳ１５において、トップバスト周径とアンダーバスト周径との差が１ｃｍより大きく、かつ４ｃｍ以下である場合は、満年齢について判断する（ステップＳ１８）。この満年齢が１２歳以上であれば、ユーザの体型区分がステップ２であると判定し、満年齢が１１歳以下であれば、ユーザの体型区分がステップ１であると判定する。また、ステップ１５において、トップバスト周径とアンダーバスト周径との差が１ｃｍ以下であれば、直ちにユーザの体型区分がステップ１であると判定する。
【００４２】
再び図８を参照し、判定処理が終了すると、体型区分判定部１０２は、判定結果を示す判定結果情報を指標情報と共に商品情報選択部１０４に出力する。商品情報選択部１０４は、これらの情報に基づいて商品情報格納部１０３を参照する。このとき、商品情報選択部１０４は、判定結果情報が示す現体型区分がステップ１又はステップ２であった場合にはステップ１・２用の商品規格を選択し、ステップ３であった場合にはステップ３用の商品規格を選択する（ステップＳ０３）。そして、商品情報選択部１０４は、選択した商品規格に属するショーツの各商品情報のうちから、指標情報に含まれるユーザの体型的特徴に最もフィットする一の商品情報を選択し、その商品情報を表示部１０５及び発注要求情報生成部１０７に出力する（ステップＳ０４）。この後、表示部１０５には、選択された商品情報が表示される（ステップＳ０５）。
【００４３】
また、商品情報の表示後、商品検索端末１は、ユーザ特定情報の入力を受け付ける（ステップＳ０６）。ユーザ特定情報が入力されなかった場合、商品検索端末１はそのまま処理を終了する。一方で、ユーザ特定情報が入力された場合、当該情報はユーザ特定情報受付部１０６から発注要求情報生成部１０７に出力される。そして、発注要求情報生成部１０７は、発注要求情報をユーザ特定情報及び商品情報と関連付けて発注要求情報送信部１０８に出力し、発注要求情報送信部１０８は、専用回線２を介して各情報を受注管理サーバ３に送信する（ステップＳ０７）。
【００４４】
以上説明したように、この商品検索端末１では、ショーツに関する商品情報がステップ１・２用規格及びステップ３用規格に区分して格納されており、各規格は、初経の経験有無を基準として予め定義された３つの体型区分に対応して、それぞれ異なる原型パターン５０Ａ，５０Ｂとなっている。このような原型パターン５０Ａ，５０Ｂの設定により、思春期の女性の体型変化の傾向が初経からの経過後１年を境にして異なることが十分に考慮され、思春期のユーザの体型がより広範囲にカバーされる。
【００４５】
そして、この商品検索端末１では、ユーザが入力した初経の経験有無及び身体的特徴に関する指標情報に基づいてユーザの現体型区分が判定され、この現体型区分に対応する商品規格の中からユーザの身体的特徴に基づく一の商品情報が選択される。そのため、ショーツを購入しようとするユーザは、指標情報を入力するだけの簡単な操作で自分の現在の体型区分を把握できると共に、その体型区分に対応する商品規格の中から自分に最もフィットする一の商品情報を容易に取得できる。また、商品検索端末１では、ユーザが検索して取得した商品情報に係るショーツをその場で発注できるので、ショーツの販売促進も同時に実現できる。
【００４６】
［第２実施形態］
図１０は、本発明に係る商品検索サーバを用いて構成した商品検索システムを示す構成図である。図１０に示す商品検索システム１０は、ユーザがインターネット経由で指標情報を入力してショーツの商品検索及び発注を行うことができる点で、販売店の店内端末として構成された第１実施形態と相違している。
【００４７】
すなわち、商品検索システム１０は、商品検索サーバ２０とユーザが所有する入力端末３０とがインターネット網４０を介して相互に情報送受信可能に接続され、商品検索サーバ２０は、販売店の専用回線２を介して受注管理サーバ３と相互に情報送受信可能に接続されて構成されている。そして、機能的な構成要素として、入力端末３０は、指標情報を商品検索サーバ２０に向けて送信する指標情報送信部３０１と、商品情報を表示する表示部３０２と、ユーザ特定情報を商品検索サーバに送信するユーザ特定情報送信部３０３とを有し、商品検索サーバ２０は、指標情報を受信する指標情報受信部２０１と、ユーザ特定情報受信部２０６とを有している。また、商品検索サーバ２０は、体型区分判定部２０２と、商品情報格納部２０３と、商品情報選択部２０４と、発注要求情報生成部２０７と、発注要求情報送信部２０８とを有している。各構成要素の機能は第１実施形態と同様である。
【００４８】
以上のように構成された商品検索システム１０においても、ショーツに関する商品情報がステップ１・２用規格及びステップ３用規格に区分して格納されており、各規格は、初経の経験有無を基準として予め定義された３つの体型区分に対応して、それぞれ異なる原型パターン５０Ａ，５０Ｂとなっている。これにより、思春期の女性の体型変化の傾向が初経からの経過後１年を境にして異なることが十分に考慮され、思春期のユーザの体型がより広範囲にカバーされる。
【００４９】
そして、この商品検索システム１０においても、ユーザが入力した初経の経験有無及び身体的特徴に関する指標情報に基づいてユーザの現体型区分が判定され、この現体型区分に対応する商品規格の中からユーザの身体的特徴に基づく一の商品情報が選択される。そのため、ショーツを購入しようとするユーザは、指標情報を入力するだけの簡単な操作で自分の現在の体型区分を把握できると共に、その体型区分に対応する商品規格の中から自分に最もフィットする一の商品情報を容易に取得できる。また、商品検索システム１０においても、ユーザが検索して取得した商品情報に係るショーツをその場で発注できるので、ショーツの販売促進も同時に実現できる。
【００５０】
なお、本発明は上記実施形態に限られるものではない。例えば、上記各実施形態では、女性用下着商品としてショーツの検索を行っているが、商品情報格納部１０３にブラジャーの商品情報をサイズごとに格納しておき、検索されたショーツのサイズと同等サイズのブラジャーの商品情報を、ショーツと共に出力してもよい。こうすると、ショーツとブラジャーとをセットで検索できるので、ユーザは自分にフィットする女性用下着商品をより簡便に見つけることが可能となる。
【００５１】
その他、思春期の女性の体に密着するような下着商品であれば、本発明を適用可能である。例えば、ガードル、水着などにも適用できる。
【図面の簡単な説明】
【００５２】
【図１】本発明に係る商品検索端末の一実施形態を示す構成図である。
【図２】体型区分がステップ１である女性の体型的特徴を示す図であり、（ａ）はその上半身、（ｂ）はその下半身を示す。
【図３】体型区分がステップ２である女性の体型的特徴を示す図であり、（ａ）はその上半身、（ｂ）はその下半身を示す。
【図４】体型区分がステップ３である女性の体型的特徴を示す図であり、（ａ）はその上半身、（ｂ）はその下半身を示す。
【図５】商品情報格納部に格納されている情報の一例を示す図である。
【図６】初経からの経過年数に対する各ステップの構成比を示すグラフである。
【図７】ステップ１・２用のショーツの原型パターン及びステップ３用のショーツの原型パターンを示す図である。
【図８】図１に示した商品検索端末の動作を示すフローチャートである。
【図９】ユーザの現体型区分を判定するための判定フローチャートである。
【図１０】本発明に係る商品検索サーバを適用してなる商品検索システムを示す構成図である。
【図１１】思春期の女性の体型に対する下着商品の既存サイズのカバー率を示したグラフである。
【図１２】（ａ）は、初経からの経過年数とヒップ周径との関係を示すグラフであり、（ｂ）は、初経からの経過年数とウエスト周径との関係を示すグラフである。
【図１３】（ａ）は、初経からの経過年数とトップバスト／アンダーバスト周径差との関係を示すグラフであり、（ｂ）は、初経からの経過年数とバスト／ウエスト厚比との関係を示すグラフである。
【符号の説明】
【００５３】
１…商品検索端末、３…発注管理サーバ（所定の送信先）、１０１…指標情報受付部、１０２…体型区分判定部、１０３…商品情報格納部、１０４…商品情報選択部、１０６…ユーザ特定情報受付部、１０７…発注要求情報生成部、１０８…発注要求情報送信部、２０…商品検索サーバ、２０１…指標情報受信部、２０２…体型区分判定部、２０３…商品情報格納部、２０４…商品情報選択部、２０６…ユーザ特定情報受付部、２０７…発注要求情報生成部、２０８…発注要求情報送信部、３０…入力端末４０…インターネット網、５０Ａ，５０Ｂ…ショーツの原型パターン。
【図１】
2007018345.tif 000003
【図２】
2007018345.tif 000004
【図３】
2007018345.tif 000005
【図４】
2007018345.tif 000006
【図５】
2007018345.tif 000007
【図６】
2007018345.tif 000008
【図７】
2007018345.tif 000009
【図８】
2007018345.tif 000010
【図９】
2007018345.tif 000011
【図１０】
2007018345.tif 000012
【図１１】
2007018345.tif 000013
【図１２】
2007018345.tif 000014
【図１３】
2007018345.tif 000015